(57)【要約】【課題】商品の管理情報を確認し忘れることを未然に防止できる商品管理システム、管理サーバ、商品管理方法及び商品管理プログラムを提供する。【解決手段】冷蔵庫（管理サーバ３０）が、冷蔵庫（管理サーバ３０）内の商品１０の商品情報１２及び総個数（総量）情報３３１に基づいて冷蔵庫（管理サーバ３０）内の各商品１０を管理し、商品情報１２及び総個数（総量）情報３３１と携帯電話装置２０のユーザによって設定された通知条件情報２２とに基づいて、ユーザの要求が満たされた場合に自動的に携帯電話装置２０に所定の通知する。【選択図】図１
2007272515.tif 000002
【特許請求の範囲】
【請求項１】
管理対象の商品の管理を行う商品管理システムにおいて、
管理対象の商品に付された前記商品に関する商品情報を記憶させた無線タグから読み取られた前記商品情報を取得し、前記商品情報に基づいて前記商品の管理を行う管理サーバが、前記商品の状態が前記商品の利用者によって設定された前記商品に対するアラームを通知する通知条件を満たす場合に、前記利用者の携帯端末に対して前記アラームを通知することを特徴とする商品管理システム。
【請求項２】
前記通知条件として、前記商品情報に含まれる消費期限前の所定期間が設定され、
前記管理サーバは、現在の日時が前記消費期限前の所定期間内となった場合に、前記携帯端末に対して前記アラームを通知することを特徴とする請求項１に記載の商品管理システム。
【請求項３】
前記通知条件として、前記商品の必要在庫数が設定され、
前記管理サーバは、前記商品の在庫数が前記通知条件に示される必要在庫数を下回った場合に、前記携帯端末に対して前記アラームを通知することを特徴とする請求項１又は請求項２に記載の商品管理システム。
【請求項４】
前記通知条件として、前記無線タグからの前記商品情報を読み取れない状態が予め設定された設定期間以上継続したことが設定され、前記管理サーバは、前記通知条件が満たされた場合、前記商品が移動したことを示すアラームを前記携帯端末に対して通知することを特徴とする請求項１に記載の商品管理システム。
【請求項５】
前記携帯端末から通信回線を介して前記管理サーバに対して前記通知条件の設定を行うことを特徴とする請求項１から請求項４の何れか１項に記載の商品管理システム。
【請求項６】
前記管理対象の商品は、レンタル用商品であり、
前記通知条件として、前記利用者がレンタルを要求するレンタル用商品を識別する識別情報が設定され、
前記管理サーバは、前記利用者によってレンタルを要求されたレンタル用商品を検出した場合に、前記携帯端末に対して前記アラームを通知することを特徴とする請求項１又は請求項５に記載の商品管理システム。
【請求項７】
前記管理対象の商品は、レンタル用商品であり、
前記通知条件として、前記利用者がレンタルを要求するレンタル用商品を識別する識別情報が設定され、
前記管理サーバは、前記利用者がレンタル用商品をレンタルした履歴を取得し、前記利用者によってレンタルを要求されたレンタル用商品を前記履歴から検出した場合に、前記携帯端末に対して前記アラームを通知することを特徴とする請求項１又は請求項５に記載の商品管理システム。
【請求項８】
前記管理対象の商品は、食料品であり、
前記通知条件として、前記利用者によって摂取された食料品の総カロリーの上限を示す上限情報が設定され、
前記商品情報は、前記食料品毎の摂取カロリーを示すカロリー情報を含み、
前記管理サーバは、前記利用者によって摂取された食料品の総カロリーを更新し、前記利用者によって摂取された食料品の総カロリーが前記上限情報で示される総カロリーを上回ると、前記携帯端末に対して前記アラームを通知することを特徴とする請求項１又は請求項５に記載の商品管理システム。
【請求項９】
前記管理対象の商品は、運動器具であり、
前記通知条件として、前記利用者が目標とする総消費カロリーを示す上限情報が設定され、
前記商品情報は、前記運動器具毎の消費カロリーを示すカロリー情報を含み、
前記管理サーバは、前記利用者が前記運動器具を使用することによって消費した総カロリーを更新し、前記利用者が消費した総カロリーが前記上限情報で示される総カロリーに達すると、前記携帯端末に対して前記アラームを通知することを特徴とする請求項１又は請求項５に記載の商品管理システム。
【請求項１０】
管理対象の商品の管理を行う商品管理サーバであって、
管理対象の商品に付された前記商品に関する商品情報を記憶させた無線タグから読み取られた前記商品情報を取得し、前記商品情報に基づいて前記商品の管理を行うと共に、前記商品の状態が前記商品の利用者によって設定された前記商品に対するアラームを通知する通知条件を満たす場合に、前記利用者の携帯端末に対して前記アラームを通知することを特徴とする商品管理サーバ。
【請求項１１】
前記通知条件として、前記商品情報に含まれる消費期限前の所定期間が設定され、
現在の日時が前記消費期限前の所定期間内となった場合に、前記携帯端末に対して前記アラームを通知することを特徴とする請求項１０に記載の商品管理サーバ。
【請求項１２】
前記通知条件として、前記商品の必要在庫数が設定され、
前記商品の在庫数が前記通知条件に示される必要在庫数を下回った場合に、前記携帯端末に対して前記アラームを通知することを特徴とする請求項１０又は請求項１１に記載の商品管理サーバ。
【請求項１３】
前記通知条件として、前記無線タグからの前記商品情報を読み取れない状態が予め設定された設定期間以上継続したことが設定され、
前記通知条件が満たされた場合、前記商品が移動したことを示すアラームを前記携帯端末に対して通知することを特徴とする請求項１０に記載の商品管理サーバ。
【請求項１４】
前記携帯端末から通信回線を介して前記管理サーバに対して前記通知条件の設定を行うことを特徴とする請求項１０から請求項１３の何れか１項に記載の商品管理サーバ。
【請求項１５】
前記管理対象の商品は、レンタル用商品であり、
前記通知条件として、前記利用者がレンタルを要求するレンタル用商品を識別する識別情報が設定され、
前記利用者によってレンタルを要求されたレンタル用商品を検出した場合に、前記携帯端末に対して前記アラームを通知することを特徴とする請求項１０又は請求項１４に記載の商品管理サーバ。
【請求項１６】
前記管理対象の商品は、レンタル用商品であり、
前記通知条件として、前記利用者がレンタルを要求するレンタル用商品を識別する識別情報が設定され、
前記利用者がレンタル用商品をレンタルした履歴を取得し、前記利用者によってレンタルを要求されたレンタル用商品を前記履歴から検出した場合に、前記携帯端末に対して前記アラームを通知することを特徴とする請求項１０又は請求項１４に記載の商品管理サーバ。
【請求項１７】
前記管理対象の商品は、食料品であり、
前記通知条件として、前記利用者によって摂取された食料品の総カロリーの上限を示す上限情報が設定され、
前記商品情報は、前記食料品毎の摂取カロリーを示すカロリー情報を含み、
前記利用者によって摂取された食料品の総カロリーを更新し、前記利用者によって摂取された食料品の総カロリーが前記上限情報で示される総カロリーを上回ると、前記携帯端末に対して前記アラームを通知することを特徴とする請求項１０又は請求項１４に記載の商品管理サーバ。
【請求項１８】
前記管理対象の商品は、運動器具であり、
前記通知条件として、前記利用者が目標とする総消費カロリーを示す上限情報が設定され、
前記商品情報は、前記運動器具毎の消費カロリーを示すカロリー情報を含み、
前記利用者が前記運動器具を使用することによって消費した総カロリーを更新し、前記利用者が消費した総カロリーが前記上限情報で示される総カロリーに達すると、前記携帯端末に対して前記アラームを通知することを特徴とする請求項１０又は請求項１４に記載の商品管理サーバ。
【請求項１９】
管理対象の商品の管理を行う商品管理方法において、
管理対象の商品に付された前記商品に関する商品情報を記憶させた無線タグから読み取られた前記商品情報を取得し、前記商品情報に基づいて前記商品の管理を行うステップと、
前記商品の状態が前記商品の利用者によって設定された前記商品に対するアラームを通知する通知条件を満たす場合に、前記利用者の携帯端末に対して前記アラームを通知するステップを有する
ことを特徴とする商品管理方法。
【請求項２０】
前記通知条件として、前記商品情報に含まれる消費期限前の所定期間が設定され、現在の日時が前記消費期限前の所定期間内となった場合に、前記携帯端末に対して前記アラームを通知することを特徴とする請求項１９に記載の商品管理方法。
【請求項２１】
前記通知条件として、前記商品の必要在庫数が設定され、前記商品の在庫数が前記通知条件に示される必要在庫数を下回った場合に、前記携帯端末に対して前記アラームを通知することを特徴とする請求項１９又は請求項２０に記載の商品管理方法。
【請求項２２】
前記通知条件が、前記無線タグからの前記商品情報を読み取れない状態が予め設定された設定期間以上継続したことが設定され、前記管理サーバは、前記通知条件が満たされた場合、前記商品が移動したことを示すアラームを前記携帯端末に対して通知することを特徴とする請求項１９に記載の商品管理方法。
【請求項２３】
前記管理対象の商品は、レンタル用商品であり、前記通知条件として、前記利用者がレンタルを要求するレンタル用商品を識別する識別情報が設定され、前記利用者によってレンタルを要求されたレンタル用商品を検出した場合に、前記携帯端末に対して前記アラームを通知することを特徴とする請求項１９に記載の商品管理方法。
【請求項２４】
前記管理対象の商品は、レンタル用商品であり、
前記通知条件として、前記利用者がレンタルを要求するレンタル用商品を識別する識別情報が設定され、
前記利用者がレンタル用商品をレンタルした履歴を取得し、前記利用者によってレンタルを要求されたレンタル用商品を前記履歴から検出した場合に、前記携帯端末に対して前記アラームを通知することを特徴とする請求項１９に記載の商品管理方法。
【請求項２５】
前記管理対象の商品は、食料品であり、
前記通知条件として、前記利用者によって摂取された食料品の総カロリーの上限を示す上限情報が設定され、
前記商品情報は、前記食料品毎の摂取カロリーを示すカロリー情報を含み、
前記利用者によって摂取された食料品の総カロリーを更新し、前記利用者によって摂取された食料品の総カロリーが前記上限情報で示される総カロリーを上回ると、前記携帯端末に対して前記アラームを通知することを特徴とする請求項１９に記載の商品管理方法。
【請求項２６】
前記管理対象の商品は、運動器具であり、
前記通知条件として、前記利用者が目標とする総消費カロリーを示す上限情報が設定され、
前記商品情報は、前記運動器具毎の消費カロリーを示すカロリー情報を含み、
前記利用者が前記運動器具を使用することによって消費した総カロリーを更新し、前記利用者が消費した総カロリーが前記上限情報で示される総カロリーに達すると、前記携帯端末に対して前記アラームを通知することを特徴とする請求項１９に記載の商品管理方法。
【請求項２７】
管理対象の商品の管理を行う管理サーバ上で動作し、前記管理サーバであるコンピュータに、
管理対象の商品に付された前記商品に関する商品情報を記憶させた無線タグから読み取られた前記商品情報を取得し、前記商品情報に基づいて前記商品の管理を行う処理と、
前記商品の状態が前記商品の利用者によって設定された前記商品に対するアラームを通知する通知条件を満たす場合に、前記利用者の携帯端末に対して前記アラームを通知する処理とを実行させる商品管理プログラム。
【請求項２８】
前記通知条件として、前記商品情報に含まれる消費期限前の所定期間が設定され、現在の日時が前記消費期限前の所定期間内となった場合に、前記携帯端末に対して前記アラームを通知することを特徴とする請求項２７に記載の商品管理プログラム。
【請求項２９】
前記通知条件として、前記商品の必要在庫数が設定され、前記商品の在庫数が前記通知条件に示される必要在庫数を下回った場合に、前記携帯端末に対して前記アラームを通知することを特徴とする請求項２７又は請求項２８に記載の商品管理プログラム。
【請求項３０】
前記通知条件が、前記無線タグからの前記商品情報を読み取れない状態が予め設定された設定期間以上継続したことが設定され、前記管理サーバは、前記通知条件が満たされた場合、前記商品が移動したことを示すアラームを前記携帯端末に対して通知することを特徴とする請求項２７に記載の商品管理プログラム。
【請求項３１】
前記管理対象の商品は、レンタル用商品であり、前記通知条件として、前記利用者がレンタルを要求するレンタル用商品を識別する識別情報が設定され、前記利用者によってレンタルを要求されたレンタル用商品を検出した場合に、前記携帯端末に対して前記アラームを通知することを特徴とする請求項２７に記載の商品管理プログラム。
【請求項３２】
前記管理対象の商品は、レンタル用商品であり、
前記通知条件として、前記利用者がレンタルを要求するレンタル用商品を識別する識別情報が設定され、
前記利用者がレンタル用商品をレンタルした履歴を取得し、前記利用者によってレンタルを要求されたレンタル用商品を前記履歴から検出した場合に、前記携帯端末に対して前記アラームを通知することを特徴とする請求項２７に記載の商品管理プログラム。
【請求項３３】
前記管理対象の商品は、食料品であり、
前記通知条件として、前記利用者によって摂取された食料品の総カロリーの上限を示す上限情報が設定され、
前記商品情報は、前記食料品毎の摂取カロリーを示すカロリー情報を含み、
前記利用者によって摂取された食料品の総カロリーを更新し、前記利用者によって摂取された食料品の総カロリーが前記上限情報で示される総カロリーを上回ると、前記携帯端末に対して前記アラームを通知することを特徴とする請求項２７に記載の商品管理プログラム。
【請求項３４】
前記管理対象の商品は、運動器具であり、
前記通知条件として、前記利用者が目標とする総消費カロリーを示す上限情報が設定され、
前記商品情報は、前記運動器具毎の消費カロリーを示すカロリー情報を含み、
前記利用者が前記運動器具を使用することによって消費した総カロリーを更新し、前記利用者が消費した総カロリーが前記上限情報で示される総カロリーに達すると、前記携帯端末に対して前記アラームを通知することを特徴とする請求項２７に記載の商品管理プログラム。
【発明の詳細な説明】
【技術分野】
【０００１】
本発明は、商品等の管理を行うための管理システムに関し、特に管理対象の商品に付されたＲＦ−ＩＤタグから商品情報を取得し、その商品情報に基づいて商品管理を行う商品管理システム、管理サーバ、商品管理方法及び商品管理プログラムに関する。
【背景技術】
【０００２】
従来、商品の在庫管理等においては、管理対象となる商品を目視によって確認しながら当該商品に関する情報を手作業でコンピュータに入力し、あるいはバーコードやＲＦ−ＩＤタグが付された商品については、バーコードやＲＦ−ＩＤタグから商品に関する情報を読み取りコンピュータに入力することにより、入力した商品情報に基づいたデータ統計などによるコンピュータを利用した商品管理が行われている。
【０００３】
上記のようなＲＦ−ＩＤを使用することで、自動的な商品管理が可能となり、通信技術の発達により携帯端末による外部からの管理も可能となっている。
【０００４】
このようなコンピュータを利用して在庫管理を行う従来技術としては、例えば、特開２００５−３７０８６号公報（特許文献１）に開示される冷蔵庫の食品管理に関する技術が存在する。
【０００５】
上記特許文献１に開示される冷蔵庫の食品管理方法においては、食料品の種類、賞味期限などの商品情報が書き込まれたＲＦ−ＩＤタグが付された食料品を冷蔵庫に収納する際に、当該冷蔵庫に設けられたリーダーライターによって上記商品情報を読み取ることにより、その読み取った商品情報を通信回線を介して外部のコンピュータに蓄積すると共に、コンピュータに蓄積した商品毎の商品情報を、冷蔵庫に設けられた表示部に表示可能にすると共に、携帯電話機などの携帯情報端末からコンピュータに蓄積した商品毎の商品情報をアクセスして食料品の在庫数や賞味期限などの情報を随時確認できるようにしている。
【特許文献１】２００５−３７０８６号公報（図１）
【発明の開示】
【発明が解決しようとする課題】
【０００６】
従来のコンピュータを利用した商品の管理方法のうち、管理対象となる商品を目視によって確認しながら当該商品に関する情報を手作業でコンピュータに入力して管理を行う方法では、商品が頻繁に入れ替わったりする場合等において、時間の経過や管理対象となる商品の入れ替わりに応じて、商品の個数や商品の消費期限を頻繁に確認しなければならないという欠点がある。このため、商品情報の更新が適切になされないことが原因で、同じ商品を必要以上購入したり、食料品などの商品の場合、賞味期限を徒過してしまうといった事態が発生することになる。
【０００７】
また、特許文献１に開示されるように、商品に付された商品情報が書き込まれたＲＦ−ＩＤタグからリーダーライターによって商品情報を読み取ることにより、コンピュータ上でそれらの商品の個数や賞味期限などを管理すると共に、それらの管理内容を、携帯情報端末で外部からアクセスして確認すれば、上述したように同じ商品を必要以上購入したり賞味期限を徒過してしまうといったことを未然に防ぐことができる。
【０００８】
しかし、特許文献１に開示される方法にあっても、ユーザが自ら携帯情報端末を操作して商品を管理するコンピュータにアクセスして確認する必要があるため、人的な要因によって確認し忘れる可能性があり、そのような場合には、同じ商品を必要以上購入したり賞味期限を徒過してしまうことになる。
【０００９】
本発明の目的は、通信タグから読み取った商品情報に基づいて商品の管理を行うと共に、商品の状態を所定の条件に従って自動的に利用者に通知することにより、商品の管理情報を確認し忘れることを未然に防止できる商品管理システム、管理サーバ、商品管理方法及び商品管理プログラムを提供することにある。
【課題を解決するための手段】
【００１０】
本発明の商品管理システムは、管理対象の商品の管理を行う商品管理システムにおいて、管理対象の商品に付された前記商品に関する商品情報を記憶させた無線タグから読み取られた前記商品情報を取得し、前記商品情報に基づいて前記商品の管理を行う管理サーバが、前記商品の状態が前記商品の利用者によって設定された前記商品に対するアラームを通知する通知条件を満たす場合に、前記利用者の携帯端末に対して前記アラームを通知することを特徴とする特徴とする。
【発明の効果】
【００１１】
本発明によれば、通信タグから読み取った商品情報に基づいて商品の管理を行うと共に、商品の状態を所定の条件に従って自動的に利用者に通知することにより、商品の管理情報の確認し忘れることを未然に防止できる。
【発明を実施するための最良の形態】
【００１２】
（第1の実施の形態）
第1の実施の形態による商品管理システムを以下詳細に説明する。
【００１３】
（第1の実施の形態の構成）
第1の実施の形態による商品管理システムの構成を図面を用いて説明する。
【００１４】
図１は、本実施の形態による商品管理システムの構成を示すブロック図である。
【００１５】
図１を参照すると、本実施の形態による商品管理システムは、商品１０と、携帯電話装置２０と、管理サーバ３０と、ネットワーク４０とから構成されている。
【００１６】
商品１０は、特に制限はないが、本実施の形態例では特に生鮮食料品とし、また、無線タグ１１が付されている。
【００１７】
無線タグ１１は、一般的なＲＦＩＤ（Radio  Frequency  Identification）タグであり、商品１０を識別する商品名、個数（量）等を含む商品識別情報１２１と、商品１０の消費期限を示す消費期限情報１２２等によって構成される商品情報１２を格納する。なお、この商品情報１２は、商品１０の購入代金を示す情報等が含まれていてもよく、特に制限はない。
【００１８】
携帯電話装置２０は、一般的な携帯端末であって、商品１０を消費期限の何日前に消費するかを示す設定期限情報２２１及び最低限必要な商品１０の個数を示す設定数量情報２２２等によって構成される通知条件情報２２を格納する記憶手段２１と、ネットワーク４０を介して管理サーバ３０と通信を行う通信手段２３とを有し、通知条件情報２２を管理サーバ３０に通知する。
【００１９】
なお、通信手段２３は、赤外線通信手段を有することによって管理サーバ３０との赤外線通信を可能としてもよく、管理サーバ３０との通信方法において特に制限はない。
【００２０】
管理サーバ３０は、商品１０に付された無線タグ１１の商品情報１２を読み取るタグリーダ３１と、ネットワーク４０を介して携帯電話装置２０と通信を行う通信手段３２と、タグリーダ３１によって読み取った無線タグ１１の商品情報１２、携帯電話装置２０から通知された通知条件情報２２及び商品１０毎の総個数（総量）を示す総個数（総量）情報３３１とを格納する管理情報記憶手段３３と、管理情報記憶手段３３で格納された商品情報１２、通知条件情報２２及び総個数（総量）情報３３１に基づいて判定を行う判定手段３４とを有する。
【００２１】
なお、通信手段３２は、赤外線通信手段を有することによって携帯電話装置２０との赤外線通信を可能としてもよく、携帯電話装置２０との通信方法において特に制限はない。
【００２２】
管理サーバ３０は、本実施の形態例では特に上記構成要素を有する冷蔵庫とし、冷蔵庫（管理サーバ３０）に生鮮食料品（商品１０）が格納される際に管理情報記憶手段３３によって、無線タグ１１から当該生鮮食料品の商品識別情報１２１及び消費期限情報１２２を読み取とって格納すると共に、読み取った商品識別情報１２１に基づいて当該生鮮食料品毎の総個数（総量）情報３３１を更新する。
【００２３】
判定手段３４は、総個数（総量）情報３３１が設定数量情報２２２未満になっていないか、また、消費期限情報１２２が設定期限情報２２１に達していないかを判定し、判定条件を満たした場合、各判定条件を満たしたことを携帯電話装置２０に対して通知するよう通信手段３２に要求する。
【００２４】
また、判定手段３４は、冷蔵庫（管理サーバ３０）内から商品１０が搬出された場合において、冷蔵庫（管理サーバ３０）内から商品１０が搬出された時間があらかじめ設定された時間以上であるか否かを判定し、設定された時間以上である場合、管理情報記憶手段３３に対して、冷蔵庫（管理サーバ３０）内から搬出された商品１０に関し、商品情報１２を消去させる共に総個数（総量）情報３３１を更新させる。
【００２５】
ネットワーク４０は、無線通信区間を有する一般的なネットワーク伝送路であり、特に制限はない。
【００２６】
ここで、管理サーバ３０のハードウェア構成の説明をする。
【００２７】
図２は、本実施の形態による商品管理システムの管理サーバ３０のハードウェア構成を示すブロック図である。
【００２８】
図２を参照すると、本発明による管理サーバ３０は、一般的なコンピュータ処理装置と同様のハードウェア構成によって実現することができ、ＣＰＵ（Ｃｅｎｔｒａｌ  Ｐｒｏｃｅｓｓｉｎｇ  Ｕｎｉｔ）５０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部５０２、インターネット４０を介してデータの送受信を行う通信制御部５０３（通信手段３２）、液晶ディスプレイ、スピーカ等の提示部５０４、キーボードやマウス等の入力部５０５、周辺機器と接続してデータの送受信を行うインタフェース部５０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部５０７（管理情報記憶手段３３）、本情報処理装置の上記各構成要素を相互に接続するシステムバス５０８等を備えている。
【００２９】
本発明による管理サーバ３０は、その動作を、管理サーバ３０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ５０１で実行することにより、ソフトウェア的に実現することができる。
【００３０】
すなわち、ＣＰＵ５０１は、補助記憶部５０７（管理情報記憶手段３３）に格納されているプログラムを、主記憶部５０２にロードして実行し、管理サーバ３０の動作を制御することにより、上述した各機能をソフトウェア的に実現する。
【００３１】
（第1の実施の形態の動作）
本実施の形態による商品管理システムの動作を図面を用いて説明する。
【００３２】
図３は、本実施の形態による商品管理システムの動作を示すタイミングチャートである。
【００３３】
図３を参照すると、まず、初期設定として、商品識別情報１２１及び消費期限情報１２２等から構成される商品情報１２が格納された無線タグ１１が商品１０に付される。
【００３４】
次いで、冷蔵庫（管理サーバ３０）は、ユーザによって冷蔵庫内に入れられた商品１０についての商品情報１２をタグリーダ３１により読み取って格納すると共に、商品１０の総個数（総量）情報３３１を更新する。
【００３５】
また、冷蔵庫（管理サーバ３０）は、携帯電話装置２０において登録されていた通知条件情報２２を通知され、格納する。
【００３６】
次いで、冷蔵庫（管理サーバ３０）は、商品情報１２の消費期限情報１２２で示される日時が通知条件情報２２の消費期限日情報２２１で示される日時に達しているか否かを商品１０毎に判定し、達している場合に携帯電話装置２０にアラーム等でその旨通知する。
【００３７】
また、冷蔵庫（管理サーバ３０）は、総個数（総量）情報３３１で示される総個数（総量）が通知条件情報２２の設定数量情報２２２で示される総個数（総量）未満か否かを商品１０毎に判定し、総個数（総量）未満の場合に携帯電話装置２０にアラーム等でその旨通知する。
【００３８】
また、商品１０があらかじめ設定された時間以上冷蔵庫（管理サーバ３０）内から搬出されている場合は、冷蔵庫（管理サーバ３０）内から搬出された商品１０に関し、商品情報１２が消去されると共に総個数（総量）情報３３１が更新され、搬出された商品１０が再度冷蔵庫（管理サーバ３０）に入れられた際に改めて商品情報１２が格納されると共に総個数（総量）情報３３１が更新される。
【００３９】
なお、商品１０があらかじめ設定された時間以上冷蔵庫（管理サーバ３０）内から搬出されている場合、管理サーバ３０は、携帯電話装置２０にアラーム等で商品１０が移動したことを通知してもよい。
【００４０】
次いで、本実施の形態による商品管理システムの管理サーバ３０の動作を図面を用いて説明する。
【００４１】
図４〜図６は、本実施の形態による商品管理システムの管理サーバ３０の動作を示すフローチャートである。
【００４２】
図４を参照すると、まず、管理情報記憶手段３３は、ユーザによって冷蔵庫内に入れられた商品１０に付された無線タグ１１からタグリーダ３１が読み取った商品情報１２を格納すると共に、商品１０の総個数（総量）情報３３１を更新する（ステップＳ４０１）。
【００４３】
次いで、管理情報記憶手段３３は、通信手段３２が携帯電話装置２０から受けとった通知条件情報２２を格納する（ステップＳ４０２）。
【００４４】
次いで、判定手段３４は、商品情報１２の消費期限情報１２２で示される日時が通知条件情報２２の消費期限日情報２２１で示される日時に達しているか否かを商品１０毎に判定し（ステップＳ４０３）、達している場合に通信手段３２によって携帯電話装置２０にアラーム等でその旨通知する（ステップＳ４０４）。
【００４５】
一方、ステップＳ４０３で達していない場合、ステップＳ４０３を繰り返す。
【００４６】
なお、ステップＳ４０１とステップＳ４０２は、同時に行われてもよいし、また、ステップＳ４０２がステップＳ４０１より先に行われてもよい。
【００４７】
図５を参照すると、まず、管理情報記憶手段３３は、ユーザによって冷蔵庫内に入れられた商品１０に付された無線タグ１１からタグリーダ３１が読み取った商品情報１２を格納すると共に、商品１０の総個数（総量）情報３３１を更新する（ステップＳ５０１）。
【００４８】
次いで、管理情報記憶手段３３は、通信手段３２が携帯電話装置２０から受けとった通知条件情報２２を格納する（ステップＳ５０２）。
【００４９】
次いで、判定手段３４は、総個数（総量）情報３３１で示される総個数（総量）が通知条件情報２２の設定数量情報２２２で示される総個数（総量）未満か否かを商品１０毎に判定し（ステップＳ５０３）、総個数（総量）未満の場合に通信手段３２によって携帯電話装置２０にアラーム等でその旨通知する（ステップＳ５０４）。
【００５０】
一方、ステップＳ５０３で総個数（総量）以上の場合、ステップＳ５０１に戻る。
【００５１】
なお、ステップＳ５０１とステップＳ５０２は、同時に行われてもよいし、また、ステップＳ５０２がステップＳ５０１より先に行われてもよい。
【００５２】
図６を参照すると、冷蔵庫（管理サーバ３０）内から商品１０が搬出された場合において、判定手段３４は、冷蔵庫（管理サーバ３０）内から商品１０が搬出された時間があらかじめ設定された時間以上であるか否かを判定する（ステップＳ６０１）。
【００５３】
ステップＳ６０１において設定された時間以上である場合、管理情報記憶手段３３は、冷蔵庫（管理サーバ３０）内から搬出された商品１０に関し、商品情報１２を消去する共に総個数（総量）情報３３１を更新する（ステップＳ６０２）。
【００５４】
一方、冷蔵庫（管理サーバ３０）内から搬出された商品１０が設定時間未満に冷蔵庫（管理サーバ３０）内に戻されることによって、ステップＳ６０１において設定された時間未満である場合、管理情報記憶手段３３は消去も更新も行わない。
【００５５】
（第1の実施の形態の効果）
以上の説明により、以下の効果を達成できる。
【００５６】
第１の効果は、携帯電話装置２０のユーザの要求が満たされた場合に管理サーバ３０から所定の通知がなされるので、ユーザが自身の要求が満たされたか否かをいちいち管理サーバ３０に確認する必要がないことである。
【００５７】
その理由は、冷蔵庫（管理サーバ３０）が、冷蔵庫（管理サーバ３０）内の商品１０の商品情報１２及び総個数（総量）情報３３１に基づいて冷蔵庫（管理サーバ３０）内の各商品１０を管理し、商品情報１２及び総個数（総量）情報３３１と携帯電話装置２０のユーザによって設定された通知条件情報２２とに基づいて、ユーザの要求が満たされた場合に携帯電話装置２０に所定の通知するからである。
【００５８】
第２の効果は、冷蔵庫（管理サーバ３０）内の商品１０が、商品１０の消費期限に基づいてユーザによってあらかじめ設定された期限に達すると自動的にユーザにその旨通知されるので、ユーザが商品１０毎の期限管理を容易にできることである。従って、ユーザは、商品１０を使用し忘れることを防止できる。
【００５９】
その理由は、冷蔵庫（管理サーバ３０）が、冷蔵庫（管理サーバ３０）内の商品１０の商品識別情報１２１及び消費期限情報１２２に基づいて冷蔵庫（管理サーバ３０）内の各商品１０の消費期限を管理し、消費期限情報１２２と携帯電話装置２０のユーザによって設定された設定期限情報２２１とに基づいて、商品１０の消費期限が迫ると携帯電話装置２０に通知するからである。
【００６０】
第３の効果は、冷蔵庫（管理サーバ３０）内の商品１０が、ユーザによってあらかじめ設定された総個数（総量）に達すると自動的にユーザにその旨通知されるので、ユーザが商品１０毎の総個数（総量）管理を容易にできることである。従って、外出中のユーザは、不足する商品１０を帰宅前に購入するなどして、冷蔵庫（管理サーバ３０）に補充することが可能となる。
【００６１】
その理由は、冷蔵庫（管理サーバ３０）が、冷蔵庫（管理サーバ３０）内の商品１０の商品識別情報１２１及び総個数（総量）情報３３１に基づいて冷蔵庫（管理サーバ３０）内の各商品１０の総個数（総量）を管理し、総個数（総量）情報と携帯電話装置２０のユーザによって設定された設定数量情報２２２とに基づいて、商品１０の総個数（総量）が必要個数に足りないと携帯電話装置２０に通知するからである。
【００６２】
（第２の実施の形態）
本発明の第２の実施の形態は、第１の実施の形態と同様であるため、図７を用いて第１の実施の形態との差分を中心に説明する。
【００６３】
図７は、第２の実施の形態による商品管理システムの構成を示すブロック図である。
【００６４】
本実施の形態は、商品１０をレンタル用ビデオ１３とし、無線タグ１１には、商品識別情報１２１及び消費期限情報１２２の代わりに、レンタル用ビデオ１３を識別する商品識別情報１２３が格納される。
【００６５】
携帯電話装置２０には、設定期限情報２２１及び設定数量情報２２２の代わりに、ユーザがレンタルを要求するレンタル用ビデオ１３を示すレンタル要求情報２２３が通知条件情報２２として格納される。
【００６６】
管理サーバ３０はレンタルビデオショップによって管理され、記憶情報３３は商品識別情報１２３と、レンタル用ビデオ１３がレンタルショップの返却された日時を示す返却情報３３２と、携帯電話装置２０から送られたレンタル要求情報２２３とを格納し、判定手段３４は、商品識別情報１２３及び返却情報３３２と、レンタル要求情報２２３とに基づいて、ユーザがレンタルを要求するレンタル用ビデオ１３がレンタルビデオショップに返却されたか否かを判定し、返却されると、通信手段３２がユーザの携帯電話装置２０に通知する。
【００６７】
本実施の形態によれば、携帯電話装置２０のユーザは、何度も確認する手間を必要とせずに、レンタルを要求するレンタル用ビデオ１３の在庫状況を容易に確認することができる。
【００６８】
（第３の実施の形態）
本発明の第３の実施の形態は、第２の実施の形態の変形例であるため、図８を用いて第２の実施の形態との差分を中心に説明する。
【００６９】
図８は、第３の実施の形態による商品管理システムの構成を示すブロック図である。
【００７０】
本実施の形態は、ユーザがレンタルビデオショップ等でレンタルを検討する場合などにおいて、ユーザがレンタルを要求するレンタル用ビデオ１３を示すレンタル要求情報２２３が通知条件情報２２として携帯電話装置２０に格納される。
【００７１】
管理サーバ３０はユーザの自宅内のビデオデッキ等で管理され、記憶情報３３は、商品識別情報１２３と、レンタル用ビデオ１３がユーザに視聴された日時を示す視聴日時情報３３２とを格納し、判定手段３４は、商品識別情報１２３及び視聴日時情報３３２と、携帯電話装置２０から送られたレンタル要求情報２２３とに基づいて、ユーザがレンタルを要求するレンタル用ビデオ１３が視聴済みか否かを判定し、視聴済みでない場合、通信手段３２がユーザの携帯電話装置２０に通知する。
【００７２】
本実施の形態によれば、ユーザが視聴したレンタル用ビデオ１３の情報をビデオデッキ等の管理サーバ３０で管理するため、ユーザは、レンタルビデオショップ等で、視聴したことがあるレンタル用ビデオ１３か否かの確認を携帯電話装置２０により容易に行える。
【００７３】
（第４の実施の形態）
本発明の第４の実施の形態は、第１の実施の形態と同様であるため、図９を用いて第１の実施の形態との差分を中心に説明する。
【００７４】
図９は、第４の実施の形態による商品管理システムの構成を示すブロック図である。
【００７５】
本実施の形態は、商品１０をレストランなどの食事所等での食品１４とし、無線タグ１１には、食品１４を識別する商品識別情報１２４及びユーザが摂取した場合のカロリーを示すカロリー情報１２５が格納される。
【００７６】
携帯電話装置２０には、ユーザが設定した一日の摂取カロリーの上限を示す摂取上限情報２２４及び当日に摂取したカロリーの累積を示す累積情報２２５が通知条件情報２２として格納される。
【００７７】
管理サーバ３０はレストランなどの食事所等によって管理され、記憶情報３３は、商品識別情報１２４及びカロリー情報１２５（商品情報１２）と、携帯電話装置２０から送られた摂取上限情報２２４及び累積情報２２５（通知条件情報２２）とを格納し、判定手段３４は、商品識別情報１２４及びカロリー情報１２５（商品情報１２）と、摂取上限情報２２４及び累積情報２２５（通知条件情報２２）とに基づいて、ユーザが設定した一日の摂取カロリーの上限を超えたか否かを判定し、上限を超えると、通信手段３２がユーザの携帯電話装置２０に通知する。
【００７８】
また、管理サーバ３０は、累積情報２２５を更新して携帯電話装置２０に通知し、携帯電話装置２０は、通知された更新後の累積情報２２５を格納する。
【００７９】
本実施の形態によれば、携帯電話装置２０のユーザは、摂取する各食品をいちいち確認する手間を必要とせずに、ユーザが設定した一日の摂取カロリーの上限を超えたか否かを容易に確認することができる。
【００８０】
（第５の実施の形態）
本発明の第５の実施の形態は、第４の実施の形態と同様であるため、図５を用いて第４の実施の形態との差分を中心に説明する。
【００８１】
図１０は、第５の実施の形態による商品管理システムの構成を示すブロック図である。
【００８２】
本実施の形態は、商品１０をスポーツジム等での運動器具１５とし、無線タグ１１には、運動器具１５を識別する商品識別情報１２６及び運動器具１５における運動時間や運動負荷毎の消費カロリーを示すカロリー情報１２７が格納される。
【００８３】
携帯電話装置２０には、ユーザが設定した目標消費カロリーを示す目標消費情報２２６及び消費したカロリーの累積を示す累積情報２２７が通知条件情報２２として格納される。
【００８４】
管理サーバ３０はスポーツジム等によって管理され、記憶情報３３は、商品識別情報１２６及びカロリー情報１２７（商品情報１２）と、携帯電話装置２０から送られた目標消費情報２２６及び累積情報２２７（通知条件情報２２）とを格納し、判定手段３４は、商品識別情報１２６及びカロリー情報１２７（商品情報１２）と、目標消費情報２２６及び累積情報２２７（通知条件情報２２）とに基づいて、ユーザが設定した目標消費カロリーに達したか否かを判定し、達すると、通信手段３２がユーザの携帯電話装置２０に通知する。
【００８５】
また、管理サーバ３０は、累積情報２２７を更新して携帯電話装置２０に通知し、携帯電話装置２０は、通知された更新後の累積情報２２７を格納する。
【００８６】
本実施の形態によれば、携帯電話装置２０のユーザは、運動器具１５における運動時間や運動負荷毎の消費カロリーををいちいち確認する手間を必要とせずに、ユーザが設定した目標消費カロリーに達したか否かを容易に確認することができる。
【００８７】
以上好ましい実施の形態をあげて本発明を説明したが、本発明は必ずしも、上記実施の形態に限定されるものでなく、その技術的思想の範囲内において様々に変形して実施することができる。
【００８８】
例えば、第１の実施の形態において、携帯電話装置２０から管理サーバ３０に問い合わせた場合に、管理サーバ３０が自身が格納する商品情報１２や通知条件情報２２を携帯電話装置２０に通知してもよいし、また、携帯電話装置２０が管理サーバ３０に所定の検索条件を送ると、管理サーバ３０が自身が格納する商品情報１２や通知条件情報２２に基づいて検索結果を通知してもよい。
【００８９】
これによって、例えば、携帯電話装置２０のユーザは、冷蔵庫（管理サーバ３０）と通信し、冷蔵庫（管理サーバ３０）内の商品１０の商品名・数量・消費期限等の情報を検索することができる。
【００９０】
例えば、第２の実施の形態において、レンタルビデオショップの例を挙げたが、本発明は、図書館、本屋、古本屋、家電屋、玩具屋等にも同様に適用できる。
【００９１】
例えば、第３の実施の形態において、レンタルビデオショップの例を挙げたが、本発明は、図書館、本屋、古本屋等にも同様に適用できる。
【産業上の利用可能性】
【００９２】
商品が頻繁に入れ替わる分野において商品管理を行う場合や、総個数（総量）の上限または下限があらかじめ定められている分野において個数（量）管理を行う場合にも適用できる。
【図面の簡単な説明】
【００９３】
【図１】第１の実施の形態による商品管理システムの構成を示すブロック図である。
【図２】第１の実施の形態による商品管理システムの管理サーバ３０のハードウェア構成を示すブロック図である。
【図３】第１の実施の形態による商品管理システムの動作を示すタイミングチャートである。
【図４】第１の実施の形態による商品管理システムの管理サーバ３０の動作を示すフローチャートである。
【図５】第１の実施の形態による商品管理システムの管理サーバ３０の動作を示すフローチャートである。
【図６】第１の実施の形態による商品管理システムの管理サーバ３０の動作を示すフローチャートである。
【図７】第２の実施の形態による商品管理システムの構成を示すブロック図である。
【図８】第３の実施の形態による商品管理システムの構成を示すブロック図である。
【図９】第４の実施の形態による商品管理システムの構成を示すブロック図である。
【図１０】第５の実施の形態による商品管理システムの構成を示すブロック図である。
【符号の説明】
【００９４】
１０：商品
１１：無線タグ
１２：商品情報
１２１、１２３、１２４、１２６：商品識別情報
１２２：消費期限情報
１２５、１２７：カロリー情報
１３：レンタル用ビデオ
１４：食品
１５：運動器具
２０：携帯電話装置
２１：記憶手段
２２：通知条件情報
２２１：設定期限情報
２２２：設定数量情報
２２３：レンタル要求情報
２２４：摂取上限情報
２２５、２２７：累積情報
２２６：目標消費情報
２３：通信手段
３０：管理サーバ
３１：タグリーダ
３２：通信手段
３３：管理情報記憶手段
３３１：総個数（総量）情報
３４：判定手段
４０：ネットワーク
５０１：ＣＰＵ
５０２：主記憶部
５０３：通信制御部
５０４：提示部
５０５：入力部
５０６：インタフェース部
５０７：補助記憶部
５０８：システムバス
【図１】
2007272515.tif 000003
【図２】
2007272515.tif 000004
【図３】
2007272515.tif 000005
【図４】
2007272515.tif 000006
【図５】
2007272515.tif 000007
【図６】
2007272515.tif 000008
【図７】
2007272515.tif 000009
【図８】
2007272515.tif 000010
【図９】
2007272515.tif 000011
【図１０】
2007272515.tif 000012